(57)【特許請求の範囲】
【請求項１】
表示材料を形成した一対のガラス基板を対向配置してパネルを構成した平板状表示装置の解体方法であって、内部に凹凸を有するとともに不等速回転する回転体を用い、前記パネルを解体して前記ガラス基板に分離することにより表示材料を露出させた後、前記回転体内に前記表示材料が形成された前記ガラス基板を入れ、その後、前記回転体を回転させて前記ガラス基板の表面から表示材料を取り除く処理を行う平板状表示装置の解体方法。
【請求項２】
前記回転体は、回転速度または回転方向を変化させることにより不等速回転するように構成した
請求項１に記載の平板状表示装置の解体方法。
【請求項３】
前記回転体は、断面楕円形状の形状にすることにより不等速回転するように構成した
請求項１に記載の平板状表示装置の解体方法。
【発明の詳細な説明】
【技術分野】
【０００１】
本発明は平板状表示装置の解体方法に関するものである。
【背景技術】
【０００２】
近年、地球環境に対する意識が向上している。その結果、製品に使用される多種多様な部材を再利用するための取り組みが世界中で広がっている。テレビジョン受像機などの表示装置においては、従来からガラスを再利用するリサイクル技術が検討されてきた（特許文献１を参照）。
【０００３】
従来から検討されてきたリサイクル技術は、ブラウン管を使用した表示装置を対象にしていることが多い。ブラウン管に使用されているガラスを再利用するもので、パネルガラスと鉛入りのファンネルガラスに分離し、リサイクルするものである。
【０００４】
本発明はこのような現状に鑑みなされたもので、平板状表示装置において、使用されているガラスなどの資源の再利用を効果的に行うことができる平板状表示装置の解体方法を提供することを目的とする。
【先行技術文献】
【特許文献】
【０００５】
【特許文献１】特開平５−１５１８９８号公報
【発明の概要】
【０００６】
本発明は、表示材料を形成した一対のガラス基板を対向配置してパネルを構成した平板状表示装置の解体方法に関する。内部に凹凸を有するとともに不等速回転する回転体を用いる。パネルを解体してガラス基板に分離することにより表示材料を露出させた後、回転体内に表示材料が形成されたガラス基板を入れ、その後、回転体を回転させてガラス基板表面から表示材料を取り除く処理を行う。
【図面の簡単な説明】
【０００７】
【図１】図１は本発明の一実施の形態におけるプラズマディスプレイ装置の分解斜視図である。
【図２】図２は本発明の一実施の形態における平板状表示装置の解体方法において、表示材料を取り除く処理の一例を示す概略図である。
【図３】図３は本発明の一実施の形態における平板状表示装置の解体方法において、表示材料を取り除く処理の他の例を示す概略図である。
【発明を実施するための形態】
【０００８】
以下、本発明の一実施の形態における平板状表示装置の解体方法について、プラズマディスプレイ装置を例にとって説明する。
【０００９】
図１は本発明の一実施の形態におけるプラズマディスプレイ装置の分解斜視図である。
【００１０】
図１において、プラズマディスプレイ装置は、一対の前面側のガラス基板１ａと背面側のガラス基板１ｂとを対向配置し、周囲をガラスフリットなどの封着材料で封着したパネル（以下、ＰＤＰという）１と、このＰＤＰ１が収容される筐体を備えている。筐体は前面枠２とバックカバー３を組み合わせて構成されている。前面枠２とバックカバー３との間には、金属支持板４と回路基板５と接着部材６が配置されている。金属支持板４は、アルミニウム等を材料とする金属板により構成されており、放熱板の役割を兼ねている。回路基板５は、金属支持板４に取り付けられており、ＰＤＰ１を駆動させる駆動回路を有する。接着部材６は、熱伝導性の接着シートであり、ＰＤＰ１と金属支持板４との間に配置され、ＰＤＰ１と金属支持板４とを接着するとともに、ＰＤＰ１から発生する熱を金属支持板４に伝導させている。また、金属支持板４には、バックカバー３と対向する取り付け面７に固定ピンなどの取り付け具８が設けられている。バックカバー３や回路基板５は、この取り付け具８によって固定されている。
【００１１】
ＰＤＰ１において、前面側のガラス基板１ａ上には、表示材料として、酸化インジウムスズ（ＩＴＯ）、酸化スズ（ＳｎＯ2）、酸化亜鉛（ＺｎＯ）などの導電性金属酸化物を含む透明電極および銀（Ａｇ）などの金属を含むバス電極とからなる電極が形成されている。また、この電極を覆うようにガラスを含む誘電体層と、酸化マグネシウム（ＭｇＯ）を含む保護層とが形成されている。また、背面側のガラス基板１ｂ上には、表示材料として、銀（Ａｇ）などの金属を含むデータ電極と、ガラスを含む下地誘電体層と、井桁状
に構成されたガラスを含む隔壁と、隔壁間に形成した赤色、緑色、青色に発光する蛍光体層とが形成されている。
【００１２】
本発明の一実施の形態による解体方法は、図１に示すプラズマディスプレイ装置において、まず筐体、回路基板５を取り除いた後、金属支持板４からＰＤＰ１を引き剥がす。その後、ＰＤＰ１を解体してガラス基板１ａ、１ｂに分離することにより表示材料を露出させた後、ガラス基板１ａ、１ｂの表面から表示材料を取り除く処理を行う。
【００１３】
図２は本発明の一実施の形態による解体方法において、表示材料を取り除く処理工程の一例を示す概略図である。
【００１４】
図２に示すように、本発明の一実施の形態においては、内部の壁面に不均一な凹凸１０ａを有する回転体１０を用いる。回転体１０内に表示材料が形成されたガラス基板１ａ、１ｂを入れ、その後、回転体１０を回転させる。このとき、回転体１０は、高速で回転させたり、低速で回転させたりすることにより、ガラス基板１ａ、１ｂの表面から表示材料が取り除かれる。図２において、１１は除去材料である。
【００１５】
ここで、回転体１０の内部には不均一な凹凸１０ａが形成されているため、ガラス基板１ａ、１ｂが壁面に張り付くのを防ぐことができる。また、ガラス基板１ａ、１ｂが凹凸１０ａに接触することにより摩擦が生じ、ガラス基板１ａ、１ｂの表面から表示材料を効率的に除去することができる。さらに、回転体１０は、回転速度を高速回転と低速回転とに切り替えて回転させるように構成している。そのため、ガラス基板１ａ、１ｂに作用する遠心力が変化することとなり、ガラス基板１ａ、１ｂが回転体１０の内部の壁面に張り付いたままということもなく、効果的にガラス基板１ａ、１ｂから除去材料を除去することが可能となる。
【００１６】
ところで、図２に示す例では、同一の回転体１０内に、前面側のガラス基板１ａと背面側のガラス基板１ｂの両方を投入したが、それぞれ異なる回転体１０を用い、それぞれのガラス基板１ａ、１ｂに合わせた条件で表示材料を取り除く処理を行う方がより望ましい。これは、前面側のガラス基板１ａ、と背面側のガラス基板１ｂとでは、形成されている表示材料が異なるからである。
【００１７】
また、上記例では、回転体１０の回転速度を変化させることにより、回転体１０を不等速回転させたが、回転体１０を交互に右回転、左回転させるように回転方向を変化させることにより不等速回転させてもよい。
【００１８】
さらに、図３に示すように、内部の壁面に不均一な凹凸１２ａを有する断面楕円形状の回転体１２を用いてもよい。このような回転体１２を回転させると、回転体１２は等速回転運動とはならず、不等速回転することとなる。なお、図３においては、回転体１２の外面の形状および内面の形状が楕円形状となる例を示しているが、外面の形状のみを楕円形状とし、その外面に駆動部の回転を伝えることにより、回転体１２を不等速回転させるように構成してもよい。
【００１９】
以上説明したように、本発明の一実施の形態によれば、内部に凹凸１０ａ、１２ａを有するとともに不等速回転する回転体１０、１２を用いている。また、ＰＤＰ１を解体してガラス基板１ａ、１ｂに分離することにより表示材料を露出させた後、回転体１０、１２内に表示材料が形成されたガラス基板１ａ、１ｂを入れ、その後、回転体１０、１２を回転させてガラス基板１ａ、１ｂの表面から表示材料を取り除く処理を行っている。これにより、ガラス基板１ａ、１ｂが壁面に張り付くのを防ぐことができるとともに、ガラス基板１ａ、１ｂが凹凸１０ａ、１２ａに接触して摩擦が生じるので、ガラス基板１ａ、１ｂの表面から表示材料を効率的に除去することができる。さらに、ガラス基板１ａ、１ｂが回転体１０、１２の内部の壁面に張り付いたままということもなく、効果的にガラス基板１ａ、１ｂから除去材料を除去することが可能となる。
【００２０】
このように、プラズマディスプレイ装置等の平板状表示装置において、表示材料が付着しているガラス基板１ａ、１ｂから効率よく表示材料を取り除くことができ、ガラスのリサイクルを効果的に行うことができる。
【産業上の利用可能性】
【００２１】
本発明は、平板状表示装置において、ガラスのリサイクルを効果的に行う上で有用である。
【符号の説明】
【００２２】
１  パネル
１ａ，１ｂ  ガラス基板
１０，１２  回転体
１０ａ，１２ａ  凹凸
１１  除去材料
【図１】
0005903599.tif 000002
【図２】
0005903599.tif 000003
【図３】
0005903599.tif 000004